(57)【要約】【課題】工作機械や各種装置に設けられている操作パネルや表示パネルを作業者の体格や操作状態に対応して上下方向，回動方向及び傾斜方向に移動させる簡便構造の操作パネル等の移動装置を提供する。【解決手段】操作パネル１や表示パネル２は円筒体３の軸線方向に沿って配置される第１のガイド軸４の移動により上下方向に移動できる。また、第１の筒体５や第２の筒体８の回動により回動することができる。また、操作パネル支持軸６や表示パネル支持軸９の回動により傾斜方向への移動ができる。【選択図】図１
2011145477.tif 000002
【特許請求の範囲】
【請求項１】
機械や装置等の機器の作動を手動で操作するための操作パネル及び該操作パネルの近傍に配置されて前記機械や装置等の機器の作動状態を表示する表示パネルであるオペレーション機器に対しての操作を行う作業者の体格やその操作所望位置等からなるオペレーティング機器配置要件に基づいて前記オペレーション機器を所望位置に移動可能に支持することを特徴とする操作パネル等の移動装置。
【請求項２】
前記操作パネル等の移動方向が、上下方向，回動方向及び傾斜方向のものからなることを特徴とする請求項１に記載の操作パネル等の移動装置。
【請求項３】
地面上に配置され作業者の起立方向とほぼ一致して立設する円筒体と、該円筒体に摺動自在に支持される第１のガイド軸と、該第１のガイド軸の上方側に軸線方向の移動を拘束されて回動自在に支持される第１の筒体と、前記操作パネルの上端側に固定され前記第１の筒体に枢支され前記円筒体の軸線方向と直交して配置される操作パネル支持軸と、前記第１の筒体の上端に立設して固定される第２のガイド軸と、該第２のガイド軸の上方側に軸線方向の移動を拘束されて回動自在に支持される第２の筒体と、前記表示パネルの一端側に固定され前記第２の筒体に枢支され前記円筒体の軸線方向と直交して配置される表示パネル支持軸とからなることを特徴とする請求項１に記載の操作パネル等の移動装置。
【発明の詳細な説明】
【技術分野】
【０００１】
本発明は、工作機械や種々の装置等に使用され、それ等の動作制御操作や動作状態の表示を行う操作パネルや表示パネルであるオペレーション機器の位置や配置方向や状態を、作業者（オペレータ）の体格やその操作状態に対応して所望の位置に移動させることのできる操作パネル等の移動装置に関する。
【背景技術】
【０００２】
工作機械や各種装置にはその動作制御操作を行うと共にその動作状態を表示する操作パネルや表示パネル（以下、操作パネル等と言う）が配置されている。この操作パネル等（すなわち、「操作パネル等」とは操作パネルや表示パネルであるオペレーション機器を指す）は作業者（オペレータ）の操作し易い位置に配置したり、操作し易い状態にすることが望ましい。しかしながら、作業者としては作業者ごとにその体格が夫々相違すると共にその操作状態が変化する。このため操作パネル等は体格の相違や操作状態の変化に対応して所望の位置（作業者が操作したり見たりし易い方向に操作パネルや表示パネルの面が向くようにした上向きの傾斜の状態や下向きの傾斜の状態も「位置」という用語の概念に含めている）に移動させることが必要であるが、従来技術ではそれに対応する簡便構造の公知技術が存在していない。なお、操作パネルの移動に関連する公知技術としては例えば特許文献１が挙げられる。
【先行技術文献】
【特許文献】
【０００３】
【特許文献１】特開２００４−２９４７００号（図２）
【発明の概要】
【発明が解決しようとする課題】
【０００４】
前記の特許文献１の特開２００４−２９４７００号の「画像形成装置」は、異なる操作姿勢や位置に対して操作パネルを任意の角度に設定する構造の装置を開示するものであるが、後に説明する本発明のように、上下方向や回動方向や傾斜方向の各方向に操作パネルを移動させる装置とは大きく相違する。操作パネル等の位置やその方向（オペレーション機器が面している向き）等が作業者（オペレータ）の体格やその好ましい操作状態に対応して自由に、かつ簡便に変化させることができれば、作業性の向上が図れると共に操作ミスが発生せず、作業者の疲労も低減できる効果を上げることができる。
【０００５】
本発明は、以上の事情に鑑みて発明されたものであり、作業者の体格や操作状態に対応して操作パネル等（オペレーション機器）の位置や配置状態を簡単に変化させることができ、構造も簡単で比較的安価に実施できる操作パネル等の移動装置を提供することを目的とする。
【課題を解決するための手段】
【０００６】
本発明は、以上の目的を達成するために、請求項１の発明は、機械や装置等の機器の作動を手動で操作するための操作パネル及び該操作パネルの近傍に配置されて前記機械や装置等の機器の作動状態を表示する表示パネルであるオペレーション機器に対しての操作を行う作業者の体格やその操作所望位置等からなるオペレーティング機器配置要件に基づいて前記オペレーション機器を所望位置に移動可能に支持することを特徴とする。
【０００７】
また、請求項２の発明は、前記操作パネル等の移動方向が、上下方向，回動方向及び傾斜方向のものからなることを特徴とする。
【０００８】
また、請求項３の発明は、地面上に配置され作業者の起立方向とほぼ一致して立設する円筒体と、該円筒体に摺動自在に支持される第１のガイド軸と、該第１のガイド軸の上方側に軸線方向の移動を拘束されて回動自在に支持される第１の筒体と、前記操作パネルの上端側に固定され前記第１の筒体に枢支され前記円筒体の軸線方向と直交して配置される操作パネル支持軸と、前記第１の筒体の上端に立設して固定される第２のガイド軸と、該第２のガイド軸の上方側に軸線方向の移動を拘束されて回動自在に支持される第２の筒体と、前記表示パネルの一端側に固定され前記第２の筒体に枢支され前記円筒体の軸線方向と直交して配置される表示パネル支持軸とからなることを特徴とする。
【発明の効果】
【０００９】
本発明の請求項１の操作パネル等の移動装置によれば、操作パネル等が作業者の体格等に対応して所望の位置に移動すべく形成されるため、前記の目的を達成することができる。
【００１０】
また、請求項２の操作パネル等の移動装置によれば、操作パネル等の移動方向が上下方向，回動方向及び傾斜方向に移動できるため、作業者の体格や操作状態に対応した所望位置に操作パネル等を移動することができる。
【００１１】
また、請求項３の操作パネル等の移動装置によれば、操作パネル等の上下方向，回動方向及び傾斜方向への移動を可能とする構造によって、オペレーション機器を動かす際の確実さの向上を図ることができる。
【図面の簡単な説明】
【００１２】
【図１】本発明の操作パネル等の移動装置の具体的構造を簡便に明示するための軸断面図。
【図２】図１のＡ矢視の側面図。
【発明を実施するための形態】
【００１３】
以下、本発明の操作パネル等の移動装置の実施の形態を図面を参照して詳述する。
【実施例１】
【００１４】
図１及び図２は本発明の操作パネル等の移動装置の具体的構造の一例を示すものであるが、本発明の操作パネル等の移動装置はこの実施例の内容に限定するものではなく、同一の技術的範疇のものが適用されることは勿論である。
【００１５】
本発明の操作パネル等の移動装置１００は、操作パネル１及び表示パネル２（操作パネル１と表示パネル２は共にオペレーション機器である）を所望の上下方向，回動方向及び傾斜方向に移動させて支持するための構成からなり、その構成要素は大別して円筒体３、第１のガイド軸４、第１の筒体５、操作パネル支持軸６、第２のガイド軸７、第２の筒体８及び表示パネル支持軸９等とからなる。なお、本実施例では操作パネル１の上方に表示パネル２が配置されているが、勿論、これ等は逆位置に配置されるものでもよい。また、配線１５は筒体５，８の内部を通って電源側に連結される。
【００１６】
地面１０上には作業者（オペレータ）１１（図２）が略垂直方向（上下方向）に起立するためのベース台１２が載置される。なお、ベース台１２はなくてもよい。
円筒体３は地面１０上に立設して配置され、その方向は作業者の起立方向と略一致していて鉛直に立設して配置される。なお、この立設方向が上下方向に相当する。
【００１７】
第１のガイド軸４は円筒体３にその軸線方向に沿って摺動自在に支持される。なお、この第１のガイド軸４の上方向には縮径部４ａ及びこの上端にねじ部４ｂが螺刻され、ねじ部４ｂにはナット１３が螺着されている。なお、この縮径部４ａまわりの構造は、第１の筒体５を第１のガイド軸４にその軸線方向の移動を拘束され軸線を回転中心として回動自在に支持するためのものであり、この構造に限定するものではない。
【００１８】
第１の筒体５は中空状の筒体からなり、その下方は図１に示すように、第１のガイド軸４に連結される。この構造により第１の筒体５は、前記のように第１のガイド軸４に軸線方向の移動を拘束されて回動自在に支持される。
【００１９】
第１の筒体５の上方側には、上下方向と直交する方向に沿って操作パネル支持軸６が枢支される。この操作パネル支持軸６の先端側には図１及び図２に示すように操作パネル１が片持ち支持される。また、第１の筒体５の上端には第２のガイド軸７が立設して固定される。
【００２０】
第２のガイド軸７の上端側には第１のガイド軸４と同じく縮径部７ａとねじ部７ｂが形成され、ねじ部４ｂにはナット１４が螺着される。
第２の筒体８は図１に示すように第２のガイド軸７にその軸線方向の移動を拘束されて軸線を回転中心として回動自在に支持される。
【００２１】
第２の筒体８の上端側には表示パネル支持軸９が枢支され、この表示パネル支持軸９は第１のガイド軸４等の軸線方向（上下方向）に対して直交して配置される。また、この表示パネル支持軸９の先端側には図１及び図２に示すように表示パネル２が片持ち支持される。
【００２２】
次に、以上の構造の操作パネル等の移動装置１００における操作パネル１及び表示パネル２の移動構造について図１及び図２により説明する。
まず、操作パネル１及び表示パネル２を上下方向に移動させるには、例えば、操作パネル１又は表示パネル２を作業者１１が把持するか、又は第１の筒体５又は第２の筒体８を把持して、これ等を上下方向に移動させると、第１のガイド軸４が円筒体３の軸線方向に沿って移動するため、上下方向の移動が容易にできる。なお、図中には移動位置におけるロック機構が明示されていないが、公知のロック機構が適用されるものであり、その説明は省略する。
【００２３】
次に、操作パネル１を回動するには、操作パネル１を把持してこれを回動方向に移動動作すると、操作パネル支持軸６を介して第１の筒体５が回動するため、その回動動作は容易に行われる。また、表示パネル２の回動動作も表示パネル支持軸９を介して第２の筒体８を回動することにより容易に行われる。
【００２４】
また、操作パネル１や表示パネル２の傾斜方向の移動は図１及び図２に示すように操作パネル１や表示パネル２を操作パネル支持軸６や表示パネル支持軸９を介して容易に行われる。図２に、操作パネル支持軸６の軸中心位置を回動中心として操作パネル１を回動させて、操作パネル１の面を作業者１１が操作し易いやや上向きの向きにした状態を二点破線の仮想線で示し、表示パネル支持軸９の軸中心位置を回動中心として表示パネル２を回動させて、表示パネル２の面を作業者１１が見易いやや下向きの向きにした状態も二点破線の仮想線で示した。
以上により、操作パネル１や表示パネル２の上下方向，回動方向及び傾斜方向への移動が容易にでき、作業者１１の所望する位置や状態に操作パネル１や表示パネル２を移動させることができる。
【００２５】
本発明の操作パネル等の移動装置は以上の構造のものからなるが、その内容は前記したようにこの実施例１に限定するものではなく、同一技術的範疇のものが適用されることは勿論である。
【産業上の利用可能性】
【００２６】
本発明は、工作機械等の機械や各種の装置における操作パネルや表示パネルに適用され、その対象とする機械や装置はほぼすべてのものに適用可能であり、その利用範囲は極めて広い。
【符号の説明】
【００２７】
１…操作パネル
２…表示パネル
３…円筒体
４…第１のガイド軸
４ａ…縮径部
４ｂ…ねじ部
５…第１の筒体
６…操作パネル支持軸
７…第２のガイド軸
７ａ…縮径部
７ｂ…ねじ部
８…第２の筒体
９…表示パネル支持軸
１０…地面
１１…作業者（オペレータ）
１２…ベース台
１３…ナット
１４…ナット
１５…配線
１００…操作パネル等の移動装置
【図１】
2011145477.tif 000003
【図２】
2011145477.tif 000004